(57)【要約】      （修正有）【課題】上方のスペースに制約がないカッティングプロッタを提供する。【解決手段】被切断媒体の搬送方向と左右方向とに延びる作業ステージ３と、作業ステージ３の左右両側に位置する第１および第２の凸部１１，１２を備える。第１の凸部１１と第２の凸部１２とにそれぞれ支持構造を介して支持されたカバー１４を備える。カバー１４は、作業ステージ３の上方で被切断媒体の搬送方向に平行移動して作業ステージ３の上方の空間を開閉するため、カバー１４が上方に大きく突出するようなことはない。【選択図】図３
2020179458.tif 000002
【特許請求の範囲】
【請求項１】
被切断媒体の搬送方向に延びるとともに前記搬送方向とは直交する水平方向である左右方向に延びる作業ステージと、
前記作業ステージより前記左右方向の一方側に位置し、前記作業ステージより上方に突出する第１の凸部と、
前記作業ステージより前記左右方向の他方側に位置し、前記作業ステージより上方に突出する第２の凸部と、
前記第１の凸部と前記第２の凸部とにそれぞれ支持構造を介して支持され、前記作業ステージの上方で前記搬送方向に平行移動して前記作業ステージの上方の空間を開閉するカバーとを備えていることを特徴とするカッティングプロッタ。
【請求項２】
請求項１記載のカッティングプロッタにおいて、
前記支持構造は、
前記カバーにおける前記搬送方向の下流側端部に前記左右方向に延びる軸線を中心にして回動自在に連結されたスライダと、
前記カバーの前記左右方向の両端部に設けられたカバー側スライド部と、
前記スライダの前記左右方向の両端部に設けられたスライダ側スライド部と、
前記第１の凸部と前記第２の凸部とに設けられ、前記カバー側スライド部および前記スライダ側スライド部に前記左右方向から係合して前記カバーおよび前記スライダを前記搬送方向に移動自在に保持するガイド部とを備えていることを特徴とするカッティングプロッタ。
【発明の詳細な説明】
【技術分野】
【０００１】
本発明は、作業ステージを上方から覆うカバーを備えたカッティングプロッタに関する。
【背景技術】
【０００２】
従来のカッティングプロッタとしては、例えば特許文献１に記載されているように、被切断媒体が載置される作業ステージと、作業ステージの上方で左右方向に移動するカッターとを備えたものがある。特許文献１に開示されているカッティングプロッタは、作業ステージを上方から覆うカバーを備えている。カバーは、被切断媒体の搬送方向下流側となる後端部においてカッティングプロッタの筐体に揺動自在に支持され、前端が上下方向に移動して開閉するように構成されている。
【先行技術文献】
【特許文献】
【０００３】
【特許文献１】特開２０１７−１６４８２１号公報
【発明の概要】
【発明が解決しようとする課題】
【０００４】
特許文献１に開示されているような従来のカバーでは、開いた状態でカッティングプロッタの筐体から上方に大きく突出するようになる。このため、カッティングプロッタの上方にカバーを開くためのスペースが必要になるという問題があった。
【０００５】
本発明の目的は、上方のスペースに制約がないカッティングプロッタを提供することである。
【課題を解決するための手段】
【０００６】
この目的を達成するために本発明に係るカッティングプロッタは、被切断媒体の搬送方向に延びるとともに前記搬送方向とは直交する水平方向である左右方向に延びる作業ステージと、前記作業ステージより前記左右方向の一方側に位置し、前記作業ステージより上方に突出する第１の凸部と、前記作業ステージより前記左右方向の他方側に位置し、前記作業ステージより上方に突出する第２の凸部と、前記第１の凸部と前記第２の凸部とにそれぞれ支持構造を介して支持され、前記作業ステージの上方で前記搬送方向に平行移動して前記作業ステージの上方の空間を開閉するカバーとを備えているものである。
【０００７】
本発明は、前記カッティングプロッタにおいて、前記支持構造は、前記カバーにおける前記搬送方向の下流側端部に前記左右方向に延びる軸線を中心にして回動自在に連結されたスライダと、前記カバーの前記左右方向の両端部に設けられたカバー側スライド部と、前記スライダの前記左右方向の両端部に設けられたスライダ側スライド部と、前記第１の凸部と前記第２の凸部とに設けられ、前記カバー側スライド部および前記スライダ側スライド部に前記左右方向から係合して前記カバーおよび前記スライダを前記搬送方向に移動自在に保持するガイド部とを備えていてもよい。
【発明の効果】
【０００８】
本発明においては、カバーが被切断媒体の搬送方向にスライドして開くから、カバーが上方に大きく突出するようなことはない。したがって、本発明によれば、上方のスペースに制約がないカッティングプロッタを提供することができる。
【図面の簡単な説明】
【０００９】
【図１】カッティングプロッタの斜め前上方から見た斜視図である。
【図２】カッティングプロッタの斜め前上方から見た斜視図である。
【図３】カッティングプロッタの斜め前上方から見た斜視図である。
【図４】カッティングプロッタの斜め後上方から見た斜視図である。
【図５】カバーとスライダの斜視図である。
【図６】カバーとスライダの連結部を示す分解斜視図である。
【図７】ガイド部を示す斜視図である。
【図８】ガイド部とカバー側スライド部の断面図である。
【図９】ガイド部とスライダ側スライド部の断面図である。
【図１０】閉じているカバーとスライダの断面図である。
【図１１】開く途中のカバーとスライダの断面図である。
【図１２】開いているカバーとスライダの断面図である。
【発明を実施するための形態】
【００１０】
以下、本発明に係るカッティングプロッタの一実施の形態を図１〜図１２を参照して詳細に説明する。
図１に示すカッティングプロッタ１は、被切断媒体２から図形や文字を切り出すための装置である。以下において、このカッティングプロッタ１の構成を説明するうえで方向を示すにあたっては、被切断媒体２の搬送方向の上流側を前側（図１においては左下側）とし、搬送方向の下流側（図１においては右上側）を後側として行う。また、以下においては、被切断媒体２の搬送方向とは直交する水平方向を左右方向として説明する。すなわち、このカッティングプロッタ１を被切断媒体２の搬送方向の上流側から見た状態で左側をカッティングプロッタ１の左側とし、右側をカッティングプロッタ１の右側として説明する。
【００１１】
この実施の形態によるカッティングプロッタ１は、左右方向の中央部に被切断媒体２が載置される作業ステージ３が設けられている。作業ステージ３は、被切断媒体２の搬送方向に延びるとともに、左右方向に延びるように形成されている。被切断媒体２は、作業ステージ３の上に載置され、作業ステージ３を横切るように設けられたピンチローラ４を含む搬送装置５によって図１において搬送方向の上流側から下流側に送られる。
作業ステージ３の上方近傍には、カッティングペン６を保持する保持部材７が左右方向へ移動可能に設けられている。被切断媒体２のカッティングは、カッティングペン６が被切断媒体２に刺さった状態で保持部材７が左右方向に移動するとともに、被切断媒体２が搬送装置５によって駆動されて前側または後側に移動して行われる。
【００１２】
作業ステージ３より左右方向の一方側（左側には）、作業ステージ３より上方に突出する第１の凸部１１が設けられている。作業ステージ３より左右方向の他方側（右側）には、作業ステージ３より上方に突出する第２の凸部１２が設けられている。これらの第１の凸部１１の上端部と、第２の凸部１２の上端部との間には、左右方向に延びる上部ハウジング１３が設けられている。
【００１３】
第１の凸部１１と第２の凸部１２との間には、図２に示すように、本発明に係るカバー１４が設けられている。カバー１４は、作業ステージ３の上方の空間を開閉するもので、第１の凸部１１の上端部と前記第２の凸部１２の上端部とにそれぞれ後述する支持構造１５（図１０参照）を介して支持され、作業ステージ３の上方で被切断媒体２の搬送方向に平行移動するように構成されている。カバー１４は、図５に示すように、板状に形成されている。カバー１４の後端部には、支持構造１５の一部を構成するスライダ１６が揺動自在に連結されている。
【００１４】
カバー１４とスライダ１６との連結は、図６に示すように、カバー１４の後端部に設けられている支軸１７にスライダ１６の軸受１８が回動自在に係合することによって行われている。支軸１７は、軸線Ｃが左右方向に延びるように形成されている。このため、カバー１４は、後端部を中心にして前端部が上下方向に移動するように揺動可能である。
カバー１４の前端部には、カバー１４の主板部１４ａから下方に延びる前板部１４ｂが一体に形成されている。
カバー１４は、図１に示す開位置と、図２に示す前下がりに傾斜した閉位置との間で移動する。カバー１４が閉位置に位置付けられることにより、作業ステージ３がカバー１４によって上方から覆われる。カバー１４が開位置に位置付けられることにより、作業ステージ３が開放される。
【００１５】
カバー１４を図２に示す閉位置から開くためには、カバー１４を前端部が上方に移動するようにスライダ１６に対して揺動させ、図３に示すように、被切断媒体２の搬送方向に延びるように持ち上げた状態で行う。支持構造１５は、このようにカバー１４が水平になるような姿勢でカバー１４を被切断媒体２の搬送方向に平行移動自在に支持する。
【００１６】
支持構造１５は、カバー１４の後端部（搬送方向の下流側端部）に左右方向に延びる軸線（図６参照）を中心にして回動自在に連結されたスライダ１６と、カバー１４の左右方向の両端部に設けられたカバー側スライド部２１（図６参照）と、スライダ１６の左右方向の両端部に設けられたスライダ側スライド部２２（図６参照）と、第１の凸部１１と第２の凸部１２とにそれぞれ設けられたガイド部２３（図７参照）とによって構成されている。図７中には、第１の凸部１１に設けられたガイド部２３のみが描かれている。第２の凸部１２のガイド部２３は、図示していないが、第１の凸部１１のガイド部２３と同じ構造となるように形成されている。
【００１７】
スライダ１６は、図５に示すように左右方向に細長い板状に形成され、左右方向の両端部においてカバー１４に回動自在に連結されている。スライダ側スライド部２２は、図６に示すように、左右方向に突出して前後方向に延びる突条２４によって構成されている。
カバー側スライド部２１は、図６に示すように、カバー１４の主板部１４ａの左右方向の両端部２５と、この両端部２５よりカバー１４内側（図６においては下側）においてカバー１４の左右方向の両端部２５と平行に延びる突条２６と、この突条２６とカバー１４の主板部１４ａとの間に形成された溝２７とによって構成されている。
【００１８】
ガイド部２３は、カバー側スライド部２１およびスライダ側スライド部２２に左右方向から係合してカバー１４およびスライダ１６を被切断媒体２の搬送方向に移動自在に保持する。この実施の形態によるガイド部２３は、図７に示すように、第１の凸部１１の内側面２８と第２の凸部１２の内側面(図示せず）とにそれぞれ設けられた第１および第２のガイドレール３１，３２によって構成されている。第１のガイドレール３１と第２のガイドレール３２は、それぞれ被切断媒体２の搬送方向に延びる突条によって構成されており、上下方向に所定の間隔をおいて互いに離間するように配設されている。第１のガイドレール３１は、第２のガイドレール３２の下方に設けられている。
【００１９】
第１のガイドレール３１と第２のガイドレール３２は、図８に示すように、カバー側スライド部２１と係合するように形成されている。すなわち、第１のガイドレール３１と第２のガイドレール３２との間にカバー側スライド部２１の突条２６が挿入され、第２のガイドレール３２がカバー側スライド部２１の溝２７に挿入される。図８と後述する図９の破断位置は、図１２中にＡ−Ａ線で示す位置である。
また、第１のガイドレール３１と第２のガイドレール３２は、図９に示すように、スライダ側スライド部２２と係合するように形成されている。すなわち、第１のガイドレール３１と第２のガイドレール３２との間にスライダ側スライド部２２の突条２４が挿入される。
【００２０】
第１のガイドレール３１の前端部には、図７に示すように、第２のガイドレール３２より前側に突出するとともに、第１および第２の凸部１１，１２の内側面２８から大きく突出する支持部３３が設けられている。この支持部３３は、図１０に示すように、カバー１４が閉じる状態でスライダ１６を支える。スライダ１６の下端部には、図９に示すように、スライダ１６が第１のガイドレール３１から前方へ外れることを阻止するストッパー３４が下方に向けて突設されている。ストッパー３４は、図１０に示すように、支持部３３の後端に後方から当接する。また、スライダ１６の下端部には、スライダ１６を支持部３３の上に保持するための半球状突起３５が設けられている。半球状突起３５は、支持部３３の凹部３６（図７参照）に上方から係合する。
第１および第２の凸部１１，１２の内側面２８の前端部には、図３に示すように、閉じた位置にあるカバー１４の前端部を支える突起３７が設けられている。
【００２１】
このように構成されたカッティングプロッタ１においては、カバー１４が図２および図１０に示すように閉じられることによって、作業ステージ３やカッティングペン６を含む作業部がカバー１４によって覆われる。このため、カッティングプロッタ１の作業部に異物が入ることをカバー１４によって防ぐことができる。
カバー１４を開くためには、先ず、図３および図１１に示すように、カバー１４の前端部を持ち上げ、カバー１４を作業ステージ３と平行になるような水平状態とする。次に、カバー１４を後方に向けて押す。
【００２２】
このようにカバー１４が押されることにより、スライダ１６のスライダ側スライド部２２が図９に示すように第１および第２のガイドレール３１，３２に沿って移動するとともに、カバー側スライド部２１が図８に示すように第１および第２のガイドレール３１，３２に沿って移動するようになる。カバー１４の後方へのスライドは、図１２に示すように、カバー１４の前端部に位置する前板部１４ｂが第１のガイドレール３１の支持部３３に前方から当接するまで行われる。このように前板部１４ｂが支持部３３に当接することにより、図１に示すようにカバー１４が開くようになる。カバー１４が後方にスライドする過程でスライダ１６が第１および第２のガイドレール３１，３２から後方に外れ、図４および図１２に示すように、カバー１４の後端部から下方に向けて垂れ下がるようになる。
【００２３】
このため、この実施の形態によるカッティングプロッタ１においては、カバー１４が被切断媒体２の搬送方向にスライドして開くから、カバー１４が上方に大きく突出するようなことはない。言い換えれば、このカッティングプロッタ１においては、前方から見たときのカッティングプロッタ１の大きさがカバー１４の開閉の前後で変わることがない。したがって、上方のスペースに制約がないカッティングプロッタを提供することができる。
【００２４】
この実施の形態による支持構造１５は、カバー１４における搬送方向の下流側端部に左右方向に延びる軸線Ｃを中心にして回動自在に連結されたスライダ１６と、カバー１４の左右方向の両端部に設けられたカバー側スライド部２１と、スライダ１６の左右方向の両端部に設けられたスライダ側スライド部２２と、第１の凸部１１と第２の凸部１２とに設けられたガイド部２３とを備えている。ガイド部２３は、カバー側スライド部２１およびスライダ側スライド部２２に左右方向から係合してカバー１４およびスライダ１６を被切断媒体２の搬送方向に移動自在に保持する。
このため、カバー１４を前下がりに傾斜して閉じるように構成することができるから、外観に優れたカッティングプロッタを提供することができる。
【符号の説明】
【００２５】
１…カッティングプロッタ、２…被切断媒体、３…作業ステージ、１１…第１の凸部、１２…第２の凸部、１４…カバー、１５…支持構造、１６…スライダ、２１…カバー側スライド部、２２…スライダ側スライド部、２３…ガイド部、Ｃ…軸線。
【図１】
2020179458.tif 000003
【図２】
2020179458.tif 000004
【図３】
2020179458.tif 000005
【図４】
2020179458.tif 000006
【図５】
2020179458.tif 000007
【図６】
2020179458.tif 000008
【図７】
2020179458.tif 000009
【図８】
2020179458.tif 000010
【図９】
2020179458.tif 000011
【図１０】
2020179458.tif 000012
【図１１】
2020179458.tif 000013
【図１２】
2020179458.tif 000014